(57)【要約】【課題】  Ｗｅｂページなどの印刷を行う際に、印刷物に表現することが出来なかった動画データなどを後で取得できるように、当該動画データの取得先を印刷物に残す。【解決手段】  Ｗｅｂページの印刷が指示されると、当該ＷｅｂページのＨＴＭＬデータを解析し、ＵＲＬが含まれる場合には、当該ＵＲＬが示す場所に格納されるデータの属性を判断し、当該属性が、登録されている条件を満たす場合には前記ＵＲＬを印刷し、登録されている条件を満たさない場合には前記データを印刷する。【選択図】  図５
2006172178.tif 000002
【特許請求の範囲】
【請求項１】
情報処理装置が提供する提供情報を取得する第一の取得ステップと、
前記提供情報に含まれる識別情報に基づいて、当該識別情報が示す引用情報を取得する第二の取得ステップと、
前記引用情報を表示部に表示する表示ステップと、
前記引用情報の属性を判断する判断ステップと、
前記判断ステップにおいて判断された属性に従って、少なくとも前記表示ステップによって表示部に表示された前記引用情報を印刷するか、前記表示ステップによって表示部に表示されない前記識別情報を印刷するかを選択する選択ステップと、
をコンピュータに実行させるプログラム。
【請求項２】
引用情報の属性を示す属性情報を登録する登録ステップをさらに有し、
前記選択ステップは、前記登録ステップにおいて登録された属性情報が示す属性と前記判断ステップにおいて判断された属性とを比較し、少なくとも前記表示ステップによって表示部に表示された前記引用情報を印刷するか、前記表示ステップによって表示部に表示されない前記識別情報を印刷するかを選択することを特徴とする請求項１記載のプログラム。
【請求項３】
表示されていない前記識別情報を印刷する旨の指定を入力する指定入力ステップをさらに有し、
前記指定入力ステップにより前記指定がある場合には前記判断ステップにおいて判断された属性に従って、前記表示ステップによって表示部に表示されない前記識別情報を印刷し、
前記指定がない場合には前記属性にかかわらず前記引用情報に基づいて印刷することを特徴とする請求項１又は２記載のプログラム。
【請求項４】
情報処理装置が提供する提供情報を取得する第一の取得ステップと、
前記提供情報に含まれる識別情報に基づいて、当該識別情報が示す引用情報を取得する第二の取得ステップと、
前記引用情報の属性を判断する判断ステップと、
前記第二の取得ステップで取得された引用情報を記憶部に記憶する記憶ステップと、
前記判断ステップにおいて判断された属性に従って、少なくとも前記引用情報を印刷するか、前記記憶ステップで記憶された引用情報の記憶先を示す情報を印刷するかを選択する選択ステップと、
をコンピュータに実行させるためのプログラム。
【請求項５】
情報処理装置が提供する提供情報を取得する第一の取得手段と、
前記提供情報に含まれる識別情報に基づいて、当該識別情報が示す引用情報を取得する第二の取得手段と、
前記引用情報を表示する表示手段と、
前記引用情報の属性を判断する判断手段と、
前記判断手段において判断された属性に従って、少なくとも前記表示手段によって表示された前記引用情報か、又は前記表示手段によって表示されない前記識別情報を印刷する印刷手段と、
を有することを特徴とする画像処理装置。
【請求項６】
情報処理装置が提供する提供情報を取得する第一の取得手段と、
前記提供情報に含まれる識別情報に基づいて、当該識別情報が示す引用情報を取得する第二の取得手段と、
前記引用情報の属性を判断する判断手段と、
前記第二の取得手段で取得された引用情報を記憶部に記憶する記憶手段と、
前記判断手段において判断された属性に従って、少なくとも前記引用情報か、又は前記記憶手段で記憶された引用情報の記憶先を示す情報を印刷する印刷手段と、
を有することを特徴とする画像形成装置。
【請求項７】
情報処理装置が提供する提供情報を取得する第一の取得ステップと、
前記提供情報に含まれる識別情報に基づいて、当該識別情報が示す引用情報を取得する第二の取得ステップと、
前記引用情報を表示部に表示する表示ステップと、
前記引用情報の属性を判断する判断ステップと、
前記判断ステップにおいて判断された属性に従って、少なくとも前記表示ステップによって表示部に表示された前記引用情報を印刷するか、前記表示ステップによって表示部に表示されない前記識別情報を印刷するかを選択する選択ステップと、
を有することを特徴とする画像形成方法。
【請求項８】
情報処理装置が提供する提供情報を取得する第一の取得ステップと、
前記提供情報に含まれる識別情報に基づいて、当該識別情報が示す引用情報を取得する第二の取得ステップと、
前記引用情報の属性を判断する判断ステップと、
前記第二の取得ステップで取得された引用情報を記憶部に記憶する記憶ステップと、
前記判断ステップにおいて判断された属性に従って、少なくとも前記引用情報を印刷するか、前記記憶ステップで記憶された引用情報の記憶先を示す情報を印刷するかを選択する選択ステップと、
を有することを特徴とする画像形成方法。
【発明の詳細な説明】
【技術分野】
【０００１】
本発明は、Ｗｅｂサーバが提供するＷｅｂページを印刷させるためのプログラム、及びＷｅｂページを印刷する画像形成装置、画像形成方法に関する。
【背景技術】
【０００２】
ネットワーク上のＷｅｂサーバが提供するホームページなどの情報（以後Ｗｅｂページと呼ぶ）を、当該Ｗｅｂサーバと通信可能なコンピュータから参照することができる。この時、このコンピュータにはＷｅｂページを閲覧するためのソフトウェア（以後Ｗｅｂブラウザ）が搭載されている。また、前記ＷｅｂページはＨＴＭＬのデータ形式で記述され、コンピュータはＨＴＴＰ（Ｈｙｐｅｒ  Ｔｅｘｔ  Ｔｒａｎｓｆｅｒ  Ｐｒｏｔｏｃｏｌ）に基づいてＨＴＭＬデータを取得する。ＷｅｂブラウザはＨＴＴＰ（Ｈｙｐｅｒ  Ｔｅｘｔ  Ｔｒａｎｓｆｅｒ  Ｐｒｏｔｏｃｏｌ）に基づいて取得されたＨＴＭＬデータを解析し、Ｗｅｂページをコンピュータのディスプレイ上に表示させている。
【０００３】
Ｗｅｂページは、テキストデータ、静止画像データ、動画データ、音声データ等の様々な属性のデータによって構成することができる。Ｗｅｂページを提供する提供者は、これら様々な属性のデータを効率的に使用してＷｅｂページを作成することで、Ｗｅｂページを閲覧するユーザにとってより使い易いＷｅｂページを提供することができる。
【０００４】
ユーザはＷｅｂサーバにアクセスし、Ｗｅｂページを取得、表示するだけでなく、一度コンピュータ内に格納したＷｅｂページの情報を印刷装置に送信し印刷させることも可能である。これによりユーザはコンピュータのディスプレイ上の表示からＷｅｂページを閲覧するだけでなく、そのＷｅｂページを印刷物として参照することもできる。
【０００５】
しかしながら、例えば動画データを含むＷｅｂページを印刷する場合、当然ながら印刷物からは動画データそのものを参照することはできない。従来、このように動画データを含むＷｅｂページの印刷が指示された場合には、この画像データが本来表示されるべき場所に「動画データのため印刷できません」又は「×（印刷できないことを意味するアイコン等の記号）」などを印刷させることで、印刷できなかったことをユーザに知らせるものがあった。また、動画データの最初の画面を印刷するものもある。さらには、ユーザが所望するタイミングの画像をユーザに選択させ、選択されたタイミングの画像を印刷するといった方法も考えられている（例えば特許文献１参照）。
【特許文献１】特開２０００−１８８６５３号公報
【発明の開示】
【発明が解決しようとする課題】
【０００６】
上記従来の方法によれば、動画データを含むＷｅｂページを印刷する場合、ユーザは動画データの中から所望の画像を選択して印刷させることができる。しかし、印刷した後に、ユーザがその動画データそのものをコンピュータ上で改めて閲覧したい場合に、当該動画データの格納場所を指定し動画データを取得することができない。なぜなら、上記従来の方法を用いた印刷結果からは、動画データの取得先をユーザが知ることができないからである。
【０００７】
本発明はこのような課題に対してなされたものであり、Ｗｅｂページなどの提供情報の印刷を行う際に、印刷物に表現することが出来なかった動画データなどの引用情報を後で取得できるように、提供情報を表示する際には表示されることがなかった、当該引用情報の取得先を印刷物に残すことを目的とする。
【課題を解決するための手段】
【０００８】
上記目的を達成するために、本発明のプログラムは、情報処理装置が提供する提供情報を取得する第一の取得ステップと、前記提供情報に含まれる識別情報に基づいて、当該識別情報が示す引用情報を取得する第二の取得ステップと、前記引用情報を表示部に表示する表示ステップと、前記引用情報の属性を判断する判断ステップと、前記判断ステップにおいて判断された属性に従って、少なくとも前記表示ステップによって表示部に表示された前記引用情報を印刷するか、前記表示ステップによって表示部に表示されない前記識別情報を印刷するかを選択する選択ステップとをコンピュータに実行させることを特徴とする。
【０００９】
また、上記目的を達成するために、本発明のプログラムは、ことを特徴とする。
【００１０】
また、上記目的を達成するために、本発明の画像形成装置は、情報処理装置が提供する提供情報を取得する第一の取得ステップと、
前記提供情報に含まれる識別情報に基づいて、当該識別情報が示す引用情報を取得する第二の取得ステップと、
前記引用情報の属性を判断する判断ステップと、
前記第二の取得ステップで取得された引用情報を記憶部に記憶する記憶ステップと、
前記判断ステップにおいて判断された属性に従って、少なくとも前記引用情報を印刷するか、前記記憶ステップで記憶された引用情報の記憶先を示す情報を印刷するかを選択する選択ステップと
をコンピュータに実行させることを特徴とする。
【００１１】
また、上記目的を達成するために、本発明の画像形成装置は、情報処理装置が提供する提供情報を取得する第一の取得手段と、
前記提供情報に含まれる識別情報に基づいて、当該識別情報が示す引用情報を取得する第二の取得手段と、
前記引用情報を表示する表示手段と、
前記引用情報の属性を判断する判断手段と、
前記判断手段において判断された属性に従って、少なくとも前記表示手段によって表示された前記引用情報か、又は前記表示手段によって表示されない前記識別情報を印刷する印刷手段と
を有することを特徴とする。
【００１２】
また、上記目的を達成するために、本発明の画像形成方法は、情報処理装置が提供する提供情報を取得する第一の取得ステップと、前記提供情報に含まれる識別情報に基づいて、当該識別情報が示す引用情報を取得する第二の取得ステップと、前記引用情報を表示部に表示する表示ステップと、前記引用情報の属性を判断する判断ステップと、前記判断ステップにおいて判断された属性に従って、少なくとも前記表示ステップによって表示部に表示された前記引用情報を印刷するか、前記表示ステップによって表示部に表示されない前記識別情報を印刷するかを選択する選択ステップとを有することを特徴とする。
【００１３】
また、上記目的を達成するために、本発明の画像形成方法は、情報処理装置が提供する提供情報を取得する第一の取得ステップと、
前記提供情報に含まれる識別情報に基づいて、当該識別情報が示す引用情報を取得する第二の取得ステップと、
前記引用情報の属性を判断する判断ステップと、
前記第二の取得ステップで取得された引用情報を記憶部に記憶する記憶ステップと、
前記判断ステップにおいて判断された属性に従って、少なくとも前記引用情報を印刷するか、前記記憶ステップで記憶された引用情報の記憶先を示す情報を印刷するかを選択する選択ステップと
を有することを特徴とする。
【発明の効果】
【００１４】
本発明によれば、提供情報を表示する際には表示されることがなかった、引用情報の取得先を印刷物に残すことが出来る。
【００１５】
これにより、ユーザは印刷された取得先に基づいて引用情報を取得し、Ｗｅｂブラウザを用いて閲覧することができる。例えば、引用情報が動画データの場合には、印刷物からは確認できなかった動画データの内容を後日確認することができる。
【発明を実施するための最良の形態】
【００１６】
以下に、図を用いて本発明の実施の形態を詳細に説明する。
【実施例１】
【００１７】
図１は、本実施例における画像形成システムを示すシステム構成図である。
【００１８】
本実施例における画像形成装置である複合機１０１は、ＬＡＮ１０５（Ｌｏｃａｌ  Ａｒｅａ  Ｎｅｔｗｏｒｋ）を介して汎用的なパーソナルコンピュータであるクライアントＰＣ１０２とＷｅｂサーバ１０４と接続されている。さらにこのＬＡＮ１０５はインターネット１０６につながり、インターネット上のＷｅｂサーバ１０３とも通信可能である。各Ｗｅｂサーバ１０３、１０４が保持する情報はＨＴＭＬ形式で記述され、複合機１０１やクライアントＰＣ１０２からＨＴＴＰプロトコルに基づいて取得され、複合機１０１やクライアントＰＣ１０２が実装するＷｅｂブラウザを用いてユーザは当該Ｗｅｂサーバが保持する情報（Ｗｅｂページ）を閲覧することができる。
【００１９】
図２は、図１で示した複合機１０１が有する機能を説明するための機能ブロック図である。
【００２０】
複合機１０１は、ネットワーク接続部２０１、ハードディスク２０２、表示部２０３、操作部２０４、コントローラ２０５、スキャナ部２０６、プリンタ部２０７を有し、ハードディスク２０２内にはＷｅｂブラウザ２０８が格納されている。
【００２１】
ネットワーク接続部２０１は、ＬＡＮ１０５に対する接続処理を行うと共に、ネットワーク３００上の他の機器との間で各種のデータ（コマンドを含む）を送受信する。例えば、ネットワーク上のクライアントＰＣ１０２のプリンタドライバによって生成されたＰＤＬ（Ｐａｇｅ  Ｄｅｓｃｒｉｐｔｉｏｎ  Ｌａｎｇｕａｇｅ）データを印刷データとして受信することや、ネットワーク上のＷｅｂサーバ１０３、１０４が提供するＷｅｂページをＨＴＴＰプロトコルに基づいて受信することを行う。
【００２２】
Ｗｅｂブラウザ２０８は、Ｗｅｂサーバ１０３、１０４が提供するＷｅｂページを閲覧するためのソフトウェアであり、システムプログラム等と共にハードディスク２０２に格納されている。表示部２０３には、Ｗｅｂブラウザ２０８により取得されたデータや、複合機１０１の状態、プリント状況等が表示される。
【００２３】
コントローラ２０５は、複合機１０１の動作を全体的に制御しており、操作部２０４から入力されたコマンドに応じて、複合機１０１の各種設定を行ったり、所定の動作を開始したり、スキャナ部２０６からスキャンデータを受け取ったり、プリンタ部２０７に印刷対象のデータを送ったりといった制御を行う。尚、コントローラ２０５は、ＣＰＵ、ＲＡＭ、ＲＯＭを有し（不図示）、ＣＰＵはＲＯＭに格納されたプログラムに基づいて各種の制御を行う。また、ＣＰＵは必要に応じてハードディスク上のＷｅｂブラウザ２０８をＲＡＭに展開し、このＲＡＭに展開したＷｅｂブラウザ２０８によってネットワーク上のＷｅｂサーバ１０３、１０４にアクセスする。また、ＣＰＵはＲＡＭをワークエリアとして利用する。
【００２４】
操作部２０４は、各種のコマンドやデータを入力するものであり、テンキー、タッチパネルなどで構成されている。スキャナ部２０６は、原稿上の画像を露光走査して電子的な画像データに変換し、プリンタ部２０７に供給する。プリンタ部２０７は、スキャナ部２０６から供給された電子的な画像データ、或いはＬＡＮ１０５上の他の機器から取得した電子的な画像データを視覚可能に印刷用紙に印刷する。
【００２５】
図３は、複合機１０１の機械的な構成を説明するための断面図である。
【００２６】
スキャナ部３０１の原稿給送装置３０３は、原稿を最終頁から順に１枚ずつプラテンガラス３０４上へ給送し、原稿画像の読み取り動作終了後、プラテンガラス３０４上の原稿を排出する。スキャナユニット３０６は、ランプ３０５、ミラー３０７を収納しており、ランプ３０５を点灯した状態で図２の左右方向に往復移動することにより、プラテンガラス３０４上の原稿の画像を露光走査する。
【００２７】
この際、原稿からの反射光（画像光）は、ミラー３０７，３０８，３０９を介してレンズ３１０に入射され、このレンズ３１０により集光されてイメージセンサ３１１に入射される。イメージセンサ３１１は、入射された画像光を光電変換し、電気的な画像信号として出力する。この画像信号は、シェーディング補正、ガンマ補正等の所定の処理が施された後、多階調の濃度を示す多値の画像データとしてプリンタ部３０２に転送される。なお、ミラー３０８，３０９は、スキャナユニット３０６の移動に伴って、所定の速度で移動する。
【００２８】
プリンタ部３０２のレーザ発光部３１２は、スキャナ部３０１から供給された多値の画像データ等に基づいてレーザ光を発光する。レーザ発光部３１２から発光されたレーザ光は、ポリゴンミラー３２２により進行方向が偏向され、補正レンズ群、ミラーを介して感光ドラム３１３に照射される。感光ドラム３１３には、レーザ光が照射されることにより静電潜像が形成され、この静電潜像は、現像器３１４によってトナー像として現像される。
【００２９】
一方、記録紙は、感光ドラム３１３へのレーザ光の照射開始と同期したタイミングで、カセット３１５又はカセット３１６からピックアップされて転写部へ搬送され、この転写部により、感光ドラム３１３上のトナー像が記録紙に転写される。トナー像が転写された記録紙は、定着部３１７に搬送され、この定着部３１７の熱と圧力によりトナー像が記録紙に定着される。定着処理が施された記録紙は、通常は、排出ローラ３１８によってソータ３２１に排出され、ソータ３２１は排出された記録紙を各ビンに収納して記録紙の仕分けを行う。なお、両面記録時や多重記録時には、記録紙は、フラッパ３１９が所定のタイミングで上方に上げられることにより、搬送ローラ３１９，３２０を有する再給紙搬送路へ導かれる。
【００３０】
図４は、複合機１０１の表示部２０３及び操作部２０４の構成を示す図である。
【００３１】
ＬＣＤ表示部４０２は、ＬＣＤ上にタッチパネルシート４０１が貼られており、システムの操作画面およびソフトキーを表示するとともに、表示してあるキーの表示部分が押されるとその位置情報をコントローラのＣＰＵに伝える。スタートキー４０３は原稿画像の読み取り動作を開始する時などに用いる。スタートキー４０３中央部には、緑と赤の２色ＬＥＤ４１５があり、その色によってスタートキー４０３が有効な状態にあるかどうかを示す。ストップキー４０４は稼働中の動作を止める働きをする。リセットキー４０５は操作部の設定を初期化する時に用いる。テンキー群４０６は、数値の入力を行う際に用いる。クリアキー４０７は、入力された数値をクリアしたいときに用いる。ＩＤキー４０８は、使用者のユーザーＩＤを入力する時に用いる。また、ユーザーがログアウト処理を行う場合に使用する。ガイドキー４０９は、設定や入力方法についてのヘルプを表示するときに用いる。ユーザーモードキー４１０は、装置の動作に関する特殊な設定や詳細な設定を行うときに用いる。
【００３２】
カウンタキー４１１は、装置がプリントした用紙の枚数を確認するときに用いる。
【００３３】
節電キー４１２は、装置を待機状態にし、消費電力を抑えたいときに用いる。電源キー４１３は、装置の電源をＯＮまたはＯＦＦするときに用いる。タリーランプ４１６、４１７は、それぞれ装置が動作中であるとき、および装置に何らかの異常が生じたときに、点滅あるいは点灯する。電源ランプ４１８は、電源キー４１３によって装置の電源がＯＮされたときに点灯する。
【００３４】
次に、本実施例における複合機１０１において、ＷｅｂサーバからＷｅｂページを取得し印刷するまでの処理を図５〜図８を用いて説明する。
【００３５】
図５は、複合機１０１におけるＷｅｂページ印刷処理の動作を示すフローチャートである。本フローチャートは複合機１０１内のＷｅｂブラウザ２０８及びハードディスク２０２又はコントローラ内のＲＯＭに格納された各種プログラムをコントローラ２０５のＣＰＵが実行することによって動作する。
【００３６】
図６は、複合機１０１のＬＣＤ表示部２０２に表示される画面の例である。６０１〜６０４は、複合機１０１の機能を示す機能メニューキーである。ユーザが機能メニューキーの何れかをタッチパネル上で押下することによって、対応する機能の設定画面が表示される。例えば「コピー」キー６０１を押下すると、用紙サイズ、部数等のコピー用の設定画面が表示される。
【００３７】
まずＳ５０１において、ユーザによってＷｅｂメニューが指定されたことを認識する。つまり、図６のＷｅｂキー６０４が押下されたことを認識する。これにより、表示パネル上にはＷｅｂメニューに関わる設定画面が表示される。
【００３８】
次にＳ５０２においてＷｅｂメニュー画面内のＵＲＬ入力欄６０７に、ユーザが所望のＷｅｂページ先を示すＵＲＬを入力したことを認識する。その後、ＵＲＬが入力された状態で、「表示」キー６０８が押下されると、Ｓ５０３へ進む。
【００３９】
Ｓ５０３では、表示パネル上に前記入力されたＵＲＬが示すＷｅｂページの画面を表示すべく、入力されたＵＲＬにアクセスし、当該Ｗｅｂページを示すＨＴＭＬデータを取得する。
【００４０】
Ｓ５０３においてＨＴＭＬデータが取得されると、Ｓ５０４へ進み当該ＨＴＭＬデータを解析する。必要に応じて、ＨＴＭＬデータに記述されたＵＲＬやファイル名等の識別情報によって示される画像データ等の所謂引用情報がある場合には当該引用情報を取得する。このＨＴＭＬデータ及び引用情報を情報表示可能な形式へ変換後表示パネル上に表示する。図６は、本実施例において、ｈｔｔｐ：／／××××．ｃｏｍ／ＡＢＣ．ｈｔｍのＵＲＬが示すＷｅｂページを表示している場合の例である。
【００４１】
次にＳ５０５では、ユーザによって「印刷」キー６０９が押下されたことを認識する。この「印刷」キー６０９が押下されると、現在表示中であるＷｅｂページが印刷されることになる。ただし、ＵＲＬ入力欄６０７にＵＲＬが入力され、「表示」キーが押下される前に「印刷」キーが押下された場合にはＷｅｂページをパネル上に表示されることなく直接印刷されることになる。
【００４２】
Ｓ５０５において印刷指示があった場合には、Ｓ５０６に進み、ＨＴＭＬデータの解析処理を行う。ここで、図７を用いて、ＨＴＭＬデータの解析処理について説明する。Ｗｅｂサーバが提供する提供情報としてのＷｅｂページは、例えば図７に示すような形式のＨＴＭＬデータで記述される。ＨＴＭＬデータは、タグを用いて記述される。そしてタグを用いて記述された一つの単位が複数集まることにより、Ｗｅｂページを形成する。図７の７０１〜７０５は、それぞれタグで囲まれた一つの単位を表している。Ｗｅｂブラウザはそれぞれのタグで囲まれた一つの単位ごとに、記述された命令を解釈し、また記述されるデータに従って表示データ又は印刷するためのデータを生成する。ＨＴＭＬでは、Ｗｅｂページ内に画像等を表示させたい場合、表示させたい画像データのリンク先つまり格納先を示す情報、例えば当該画像データのＵＲＬを記述し、ＵＲＬ先から画像データを取得し表示させることができる。例えば図７の７０２には、ｈｔｔｐ：／／×××／ｄａｔａ．ｊｐｇというＵＲＬからデータを取得し、表示させることが記述されている。以後、このようにＨＴＭＬデータに記述されたＵＲＬやファイル名等の識別情報によって示される画像データ等の情報を引用情報と呼ぶ。
【００４３】
ＨＴＭＬでは、Ｗｅｂページを表示させる際にこの引用情報をどのように表示させるかについて、以下の二つの方法のどちらの方法を使うかを決めることができる。一つは、Ｗｅｂページの表示に、ＵＲＬは表示させず引用情報を表示させる方法であり、もう一つはＷｅｂページの表示にＵＲＬをクリッカブルに表示させ、この表示画面上でユーザがこのＵＲＬをクリックすることに応じて引用情報を表示させる方法である。
【００４４】
Ｓ５０６では、例えば図７に示すＨＴＭＬデータの各タグに含まれる情報を解析する。Ｓ５０７では、Ｓ５０６での解析の結果、ＵＲＬは表示させず引用情報を表示させる方法が指定されているＵＲＬがあるかどうかを判断する。つまりこのＵＲＬは、Ｗｅｂページの表示画面からではユーザが確認できないＵＲＬであるといえる。Ｓ５０７の判断の結果、そのようなＵＲＬがないと判断された場合にはＳ５０８へ進む。
【００４５】
Ｓ５０８では、ＨＴＭＬデータのタグで示される情報に基づいて、その部分について印刷するためのデータを生成する処理を行う。Ｓ５０８の処理が終わるとＳ５１３に進み、ＨＴＭＬデータ内のすべてのタグが解析されていなければ再びＳ５０６へ戻り処理を続ける。
【００４６】
Ｓ５０７において、ＵＲＬは表示させず引用情報を表示させる方法が指定されているＵＲＬがあると判断された場合には、Ｓ５０９へと進む。
【００４７】
Ｓ５０９ではまず、このＵＲＬが示す引用情報の属性を判断する。引用情報の属性とは、例えば動画データ、静止画データ、音声データ等が考えられる。そして判断された属性と複合機１０１にあらかじめ登録されていた属性とを比較し、一致するかどうかに基づいてＳ５１２の処理に進むかＳ５１０の処理に進むかを選択する。例えば、まず前記ＵＲＬに示されている拡張子を参照することによって、引用情報の属性を判断する。そして、複合機１０１にあらかじめ登録されている拡張子が示す属性と、引用情報の属性とを比較し、一致するかどうかに基づいて、以降の処理ステップを選択する。
【００４８】
まず、Ｓ５０９において、前記ＵＲＬが示す引用情報の属性が、複合機１０１に予め登録されている拡張子が示す属性と一致しなかった場合、Ｓ５１０へと進む。Ｓ５１０では、前記ＵＲＬが示す引用情報を当該ＵＲＬに基づいて取得し、Ｓ５１１に進み、当該取得した引用情報を印刷するために描画処理を行う。
【００４９】
一方、Ｓ５０９において、前記ＵＲＬが示す引用情報の属性が、複合機１０１に予め登録されている拡張子が示す属性と一致した場合、Ｓ５１２へと進む。Ｓ５１２では、前記ＵＲＬそのものを印刷するために、当該ＵＲＬを例えばテキストデータとして印刷するために描画処理を行う。つまり、印刷物には例えば「ｈｔｔｐ：／／×××／ｄａｔａ．ｊｐｇ」といった情報が印刷されることになる。
【００５０】
図８は、図７のＨＴＭＬデータに基づいて印刷処理された印刷結果の例を示している。それぞれ８０１〜８０５は各箇所は、図７の７０１〜７０５の各箇所に対応している。この場合、図７の７０２に示されるＵＲＬに関しては、８０２に示すように引用情報が印刷されているため、Ｓ５０９の選択処理の結果、Ｓ５１０に進む処理が選択されたことがわかる。つまり、引用情報の属性が、予め複合機に登録されている属性情報が示す属性と一致しなかった場合の処理である。一方、図７の７０４に示されるＵＲＬに関しては、８０４に示すようにＵＲＬそのものが印刷されているため、Ｓ５０９の選択処理の結果、Ｓ５１２に進む処理が選択されたことがわかる。つまり、引用情報の属性が、予め複合機に登録されている属性情報が示す属性と一致した場合の処理である。
【００５１】
尚、図８に示す例では、ＵＲＬそのものを印刷する用紙上の場所として、本来引用情報が印刷されるべき場所（８０４の場所）が選ばれている例を示しているが、当然、その他の場所（８０４以外の場所）にＵＲＬが印刷されてもよい。また、ＵＲＬを印刷した用紙を、別途出力してもよい。
【００５２】
Ｓ５１１又はＳ５１２の処理が終了するとＳ５１３へ進み、Ｓ５１３ですべてのタグが解析されたと判断されれば、Ｓ５１４へ進み、描画データをプリント部に出力し、プリントさせる。
【００５３】
尚、上記実施例では、Ｓ５０９において、引用情報の属性が、予め複合機１０１に登録されていた属性情報が示す属性である場合に、ＵＲＬを印刷する処理に進み、一方引用情報の属性が、予め複合機１０１に登録されていた属性情報が示す属性でない場合に、ＵＲＬを印刷せずに引用情報を印刷する処理へと進んだが、本発明はこれに限定されるものではない。つまり、引用情報の属性が、予め複合機１０１に登録されていた属性情報が示す属性である場合には引用情報を印刷する処理へと進み、予め複合機１０１に登録されていた属性情報が示す属性でない場合にＵＲＬを印刷する処理に進むようにプログラムを組んでもよい。
【００５４】
また、上記Ｓ５０９において、予め複合機１０１に登録された属性情報が示す属性と引用情報の属性とを比較するが、当該予め複合機に登録された属性情報は、ユーザが任意に登録可能である。さらに、比較の対象となる属性情報を複数登録しておき、Ｗｅｂページの印刷を行う場合に、どの属性情報で比較を行うかを選択可能にしてもよい。
【００５５】
以下、図１３、図１４を用いて、比較対象とする属性情報の選択処理と、属性情報の登録処理について説明する。
【００５６】
図１３は比較対象とする属性情報の選択処理および属性情報の登録処理を示すフローチャートであり、図１４は図１３に示す選択処理において選択対象となる複数の属性情報を管理する管理テーブルの例である。管理テーブルは複合機１０１のハードディスク又は他の記憶部に格納される情報である。図１４に示す管理テーブルには、ＵＲＬを印刷する条件となる拡張子として、三種類の選択候補が管理されていることを示している。条件１は属性情報としての拡張子．ａｖｉ．ｄｉｒ．ｍｐｇが登録されている。これらの拡張子は動画データを示すものであるため、条件１の属性情報が示す属性は「動画データ」であることがわかる。条件２は属性情報としての拡張子．ｗａｖ．ｒａ．ｍｉｄが登録されている。これらの拡張子は音声データを示すものであるため、条件２の属性情報が示す属性は「音声データ」であることがわかる。条件３は属性情報としての拡張子．ａｖｉ．ｄｉｒ．ｍｐｇ．ｗａｖ．ｒａ．ｍｉｄが登録されている。これらの拡張子は画像データ及び音声データを示すものであるため、条件データの属性情報が示す属性は「動画データ又は音声データ」であることがわかる。このうちの例えば条件１が選択されて図５に示すフローが実行された場合には、Ｓ５０９において、予め複合機に登録されている属性情報には．ａｖｉ．ｄｉｒ．ｍｐｇが適応されることになり、例えば引用情報の拡張子が．ａｖｉ．ｄｉｒ．ｍｐｇのどれかと一致するかを判断する。
【００５７】
図１３のＳ１３０１では、図６の「条件」キー６１０がユーザによって押下されたことに応じて、Ｓ５０９において引用情報の属性と比較するための属性情報の一覧画面を表示部４０２に表示させるよう制御する（Ｓ１３０１）。Ｓ１３０２では、表示された一覧画面上から、ユーザが何れかの条件を選択したか否かを判断する。何れかの条件がユーザによって選択された場合、Ｓ１３０３に進み、選択された条件を、Ｓ５０９において引用情報の属性と比較する比較対象とするようにセットする。
【００５８】
一方、Ｓ１３０２において条件選択が行われなかった場合にはＳ１３０４に進み、ユーザから、引用情報の属性と比較するための属性情報の新規追加が指示されたかを判断する。新規追加が指示された場合にはＳ１３０５に進み条件入力画面を表示する。ユーザは表示された条件入力画面を用いて、所望の条件として属性情報（例えば、データを示す拡張子）を入力し登録する。Ｓ１３０６では、Ｓ１３０５でユーザによって登録された属性情報を図１４に示す管理テーブルに追加し、記憶部に記憶させる処理を行う。Ｓ１３０６での登録処理が終わると、再びＳ１３０２へと戻る。
【００５９】
以上のように、Ｓ５０９において引用情報の属性との比較を行うために、ユーザはその条件となる属性情報を予め選択することができる。そしてＳ５０９では、ユーザに選択された属性情報に基づいた処理が行われる。図１３に示す条件選択処理が行われなかった場合には、予め登録されている条件を用いてＳ５０９の処理が行われることになる。これにより、引用情報の属性と比較するための属性情報が固定的でなく、ユーザが所望の属性を登録することができる。例えば引用情報が動画データであった場合に当該引用情報のＵＲＬを印刷させたいユーザは、属性情報に動画を示す属性情報を登録すればよく、一方引用情報が静止画であった場合に当該引用情報のＵＲＬを印刷させたいユーザは、属性情報に静止画を示す属性情報を登録すればよい。
【００６０】
以上説明したように、上記実施例１によれば、ＵＲＬを含むＷｅｂページを印刷する場合に、ＵＲＬが示す引用情報の属性を判断し、判断結果に応じてその引用情報を印刷するか又はその引用情報を示すＵＲＬ自体を印刷するかを切り換える。
【００６１】
これによりＵＲＬ自体が印刷された場合には、そのＵＲＬから、ユーザはＷｅｂページを構成する各データの格納先を知ることができる。そして改めてそのＵＲＬに基づいて前記データの電子データを取得することができる。
【００６２】
また、データを印刷するかＵＲＬ自体を印刷するかの切り換えの条件となる属性情報をユーザが登録することができるので、例えばユーザが指定した拡張子を含むＵＲＬについては、そのＵＲＬが示す場所に格納されるデータの印刷は行わせず、そのＵＲＬ自体を印刷させることができる。
【００６３】
また、Ｗｅｂページに複数のＵＲＬが含まれる場合には、それぞれのＵＲＬに対してデータを印刷するかＵＲＬを印刷するかの判断が行われるので、ユーザは各ＵＲＬが示す場所に格納されるデータそれぞれについて、その格納先を知ることができる。
【実施例２】
【００６４】
次に本発明の第２の実施例について図を用いて詳細に説明する。
【００６５】
上記第一の実施例では、ＷｅｂページのＨＴＭＬデータに含まれるＵＲＬが示す引用情報が所定の属性かどうか判断し、所定の属性である場合にはそのＵＲＬ自体を印刷し、所定の属性でない場合にはそのＵＲＬが示す場所に格納されるデータを印刷していた。
【００６６】
一方本発明の第２の実施例では、ＷｅｂページのＨＴＭＬデータに含まれるＵＲＬが示す引用情報が所定の属性であるか判断し、所定の属性である場合には、そのＵＲＬが示す引用情報を取得し、複合機１０１のハードディスク内のボックスと言われる領域に格納する。そして当該ボックスに格納された引用情報の格納先を印刷する。
【００６７】
以下、図面を用いて第２の実施例について説明するが、図１、図３、図４については実施例１と同じであるため説明を省略する。
【００６８】
第２の実施例における複合機１０１は、図２の２０９に示すように、ハードディスク内にボックスと言われる記憶領域を有している。
【００６９】
このボックス領域２０９には、例えばスキャナ部２０６によって読み込まれた画像データや、クライアントＰＣ１０２から送信されたデータなどが格納されている。また、ユーザは操作部２０４の操作又はクライアントＰＣからネットワークを介した複合機１０１へのアクセスによって、このボックス領域に格納されているデータを参照することが可能である。そして、格納されているデータをプリンタ部２０７から印刷させることや、ユーザが操作しているクライアントＰＣにネットワークを介してデータを送信することも可能である。また、このボックス領域はユーザ毎、又はグループ毎等にボックス領域を分配し、フォルダ等を作成して格納されたデータを管理することができる。
【００７０】
次に実施例２における複合機１０１において、ＷｅｂサーバからＷｅｂページを取得し印刷するまでの処理を図９、図１０を用いて説明する。
【００７１】
図９は、複合機１０１におけるＷｅｂページ印刷処理の動作を示すフローチャートである。本フローチャートは複合機１０１内のＷｅｂブラウザ２０８及びハードディスク２０２又はコントローラ内のＲＯＭに格納された各種プログラムをコントローラ２０５のＣＰＵが実行することによって動作する。
【００７２】
Ｓ９０１〜Ｓ９１１までの処理は、それぞれ第一の実施例で説明した図５のＳ５０１〜Ｓ５１１までの処理と同様の為説明は省略し、実施例２の特徴である実施例１と異なる点について説明する。
【００７３】
実施例２では、Ｓ９０９において、「登録されている属性を満たしている」と判断されるとＳ９１２へと進む。Ｓ９１２では、Ｓ９１０（Ｓ５１０）での処理と同様に、ＵＲＬが示す場所に格納されるデータを取得する。Ｗｅｂページを表示するために取得したデータがキャッシュされている場合にはそのデータを用いてもよい。Ｓ９１３に進み、Ｓ９１２で取得したデータをハードディスク内の所定のボックス領域に格納する。ここで、ボックスの格納先の選択は、ユーザの意思とは無関係にコントローラが自動的に決定してもよいし、表示パネル上に格納するボックス先をユーザに選択させる画面を表示し、ユーザが選択したボックスにデータを格納するようにしてもよい。また、ユーザ専用のボックスが予め設定されている場合には、コントローラは優先的にそのボックスを格納先に選択するようにしてもよい。Ｓ９１３において、ボックスへのデータ格納が終了するとＳ９１４へと進む。
【００７４】
Ｓ９１４では、Ｓ９１３においてボックスに格納されたデータのＵＲＬを取得し、このＵＲＬを描画処理する。ここで、このＵＲＬとは、もともと取得したＨＴＭＬデータ内に記述されたＵＲＬとは異なるものである。つまり図７の例における、ｈｔｔｐ：／／×××／ｄａｔａ．ｍｐｇではない。ｈｔｔｐ：／／×××／ｄａｔａ．ｍｐｇというＵＲＬは、Ｗｅｂページを提供するＷｅｂサーバに存在する（又はネットワーク上の何れかのサーバに存在する）データを示している。一方、本実施例の図９のＳ９１４で描画されるＵＲＬは、前記ｈｔｔｐ：／／×××／ｄａｔａ．ｍｐｇから取得したデータを自身のボックスに格納した後のデータの存在場所（つまりボックスに格納されたデータのＵＲＬ）を示している。従って、本実施例において描画されるＵＲＬは図１０の１００１に示す例（ｈｔｔｐ：／／ＭＦＰ××／ｂｏｘ／ｄａｔａ．ｍｐｇ）のように、自身のボックスを示すＵＲＬとなっている。
【００７５】
図９に関してその他の処理は図５と同様である。
【００７６】
以上説明したように、実施例２によれば、Ｗｅｂページが有しているＵＲＬが所定の条件を満たしていた場合には、そのＵＲＬが示す引用情報を取得する取得先を印刷できるだけでなく。一度自身のボックスに格納しておき、そのボックス内に格納した引用情報を示すＵＲＬを印刷するので、格納先となるボックスからそのデータが消去されない限り、ユーザはいつでも当該引用情報を取得し、参照することができる。これにより、例えばＷｅｂページを提供しているサーバがダウンしている場合や、当該サーバがＷｅｂページの提供を終了してしまったと言うような場合や、ＵＲＬによって示される引用情報の場所を移動してしまったといった場合によって、後からその引用情報を取得することができなくなってしまうといった状況に対して対応することができる。
【実施例３】
【００７７】
次に本発明の第３の実施例について図を用いて説明する。
【００７８】
上記実施例１は、ＷｅｂページのＨＴＭＬデータに含まれるＵＲＬが示す引用情報が所定の属性かどうか判断し、所定の属性である場合にはそのＵＲＬ自体を印刷するものであった。
【００７９】
また、上記実施例２は、ＷｅｂページのＨＴＭＬデータに含まれるＵＲＬが示す引用情報が所定の属性であるか否か判断し、所定の属性である場合にはその引用情報を取得し、自身のボックスに格納し、格納した引用情報を示すＵＲＬを印刷するものであった。
【００８０】
一方、実施例３では、上記実施例１を用いて処理するか実施例２を用いて処理するかをユーザが選択可能にすることを特徴とする。
【００８１】
さらには、そもそもＷｅｂページのＨＴＭＬデータに含まれるＵＲＬが示す引用情報が所定の属性かどうかの判断を行わずに、又は判断結果にかかわらず、従来の方法を用いてＷｅｂページを印刷処理するか、実施例１の方法又は実施例２の方法を用いてＷｅｂページを印刷処理するかをユーザが選択可能にすることを特徴としている。
【００８２】
以下、図面を用いて第３の実施例について説明するが、図１〜図４については前述した実施例と同様であるため説明を省略する。
【００８３】
図１１は、複合機１０１におけるＷｅｂページ印刷処理の動作を示すフローチャートである。本フローチャートは複合機１０１内のＷｅｂブラウザ２０８及びハードディスク２０２又はコントローラ内のＲＯＭに格納された各種プログラムをコントローラ２０５のＣＰＵが実行することによって動作する。
【００８４】
Ｓ１１０１〜Ｓ１１０４までの処理は、それぞれ第一の実施例で説明した図５のＳ５０１〜Ｓ５０４までの処理と同様のため説明は省略しする。
【００８５】
Ｓ１１０５においてユーザが図６の「印刷」キー６０９を押下することによりＷｅｂページの印刷を指示したことを認識する。
【００８６】
図１２は、本実施例において、図６の「印刷」キー６０９を押下されたことに応じて表示パネル上に表示される画面の例である。ユーザによって印刷が指示されるとコントローラは、Ｗｅｂページ印刷の印刷モードをユーザに選択させるための画面１２０１を表示する。ユーザはこの画面１２０１上の所望の印刷モードを選択する。具体的には、「ＵＲＬ印刷モード」を実行するか否かを選択させるためのボタン。さらに「ボックス格納モード」を実行するか否かを選択させるボタンを表示する。ここで「ＵＲＬ印刷モード」とは、第一の実施例に基づく印刷処理、又は第二の実施例に基づく印刷処理を意味する。つまりＷｅｂページに含まれるＵＲＬが示す引用情報が所定の属性である場合には、当該引用情報を印刷せずにその引用情報の取得先であるＵＲＬを印刷するモードである。
【００８７】
一方、「ボックス格納モード」とは、「ＵＲＬ印刷モード」を実行すると選択された場合にのみ選択可能に表示され、「ＵＲＬ印刷モード」を実行するにあたって、第一の実施例に基づく印刷処理を実行するのか又は第２の実施例に基づく印刷処理を実行するかを選択させるためのモードである。つまり、「ボックス格納モード」を実行すると選択された場合には第２の実施例に基づく印刷処理が実行され、「ボックス格納モード」を実行しないと選択された場合には第一の実施例に基づく印刷処理が実行されることになる。
【００８８】
Ｗｅｂページの印刷指示をユーザが行った際に、１２０１に示すような選択画面を表示することによって、ユーザは自身が所望する印刷処理モードでのＷｅｂページ印刷を指示することができる。
【００８９】
１２０１上で何れかのモードを選択し、「実行」キーをユーザが押下するとＷｅｂページ印刷が実行される。
【００９０】
まず、Ｓ１１０６において、「ＵＲＬ印刷モード」が選択されているか否かを判断する。「ＵＲＬ印刷モード」が選択されていない場合にはＳ１１０７に進み、Ｓ１１０７〜Ｓ１１０９の処理を繰り返し、通常のＷｅｂページ印刷処理が実行される。つまり、動画データがＷｅｂページに含まれていた場合には「印刷できない旨を示す情報を印刷する」か、又は「所定のタイミングの画像を印刷する」又は「動画データの一ページ目のみが印刷される」などの処理が行われ、従って、ＷｅｂページにＵＲＬが含まれていたとしても該ＵＲＬが示す引用情報の属性にかかわらずそのデータが印刷される。生成された描画データはＳ１１２２においてプリンタ部２０７に出力され、プリンタ部において記録紙に画像形成される。
【００９１】
Ｓ１１０６において、「ＵＲＬ印刷モード」が選択されていると判断された場合にはＳ１１１０に進みＨＴＭＬデータの解析を行う。Ｓ１１１０〜Ｓ１１１５までの処理は、それぞれ図５に示すＳ５０６〜Ｓ５１１の処理と同様である。
【００９２】
Ｓ１１１３において、Ｗｅｂページが有するＵＲＬが示す引用情報が所定の属性であると判断された場合にはＳ１１１６に進む。
【００９３】
Ｓ１１１６では、１２０１に示す印刷モード選択画面においてユーザが「ボックス格納モード」を選択したか否かを判断する。
【００９４】
「ボックス格納モード」が選択されていない場合には、Ｓ１１１７に進み、ＨＴＭＬデータに記述されているＵＲＬ自体を描画する。つまり、第一の実施例に基づく「ＵＲＬ印刷モード」で処理する。
【００９５】
Ｓ１１１６において、「ボックス格納モード」が選択されていると判断された場合には、Ｓ１１１８に進み、ＵＲＬが示す引用情報を取得し、Ｓ１１１９に進み、取得したデータを所定のボックスに格納する。Ｓ１１２０では、Ｓ１１１９でボックスに格納した引用情報のＵＲＬを描画する。つまり第２の実施例に基づく「ＵＲＬ印刷モード」で処理する。
【００９６】
全てのＨＴＭＬデータの解析が終了するとＳ１１２２に進み、生成した描画データをプリンタ部２０７に出力し、プリンタ部では、描画データに基づいて記録紙に画像形成する。
【００９７】
以上説明したように、実施例３によれば、Ｗｅｂページの印刷を指示したユーザが、所望の印刷モードを選択できる。
【００９８】
これにより、印刷するＷｅｂページに動画データが含まれていた場合に、当該動画データを従来の方法つまり動画データの一部のみを印刷する方法等で印刷したいといったユーザに対して所望する印刷処理を提供できる。また、印刷するＷｅｂページに動画データが含まれていた場合に、当該動画データの取得先を印刷したいといったユーザに対して所望する印刷処理を提供できる。また、動画データをボックスに格納し、格納されたデータの場所を印刷したいといったユーザに対しても所望する印刷処理を提供できる。このように、様々なユーザの要望に的確に対応可能な画像形成装置を提供することができる。
【００９９】
（その他の実施形態）
なお、本発明の目的は、前述した実施形態の機能を実現するソフトウェアのプログラムコードを記憶した記憶媒体を、システムあるいは装置のコンピュータ（またはＣＰＵやＭＰＵ）が記憶媒体に格納されたプログラムコードを読出し実行することによっても達成される。
【０１００】
この場合、記憶媒体から読み出されたプログラムコード自体が前述した実施形態の機能を実現することになり、そのプログラムコード又はそのプログラムコードを記憶した記憶媒体は本発明を構成することになる。
【０１０１】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、ＤＶＤ−ＲＯＭ、ＤＶＤ−Ｒ、磁気テープ、不揮発性のメモリカード、ＲＯＭ、ネットワーク上のファイルサーバが有する記憶装置、或いは、インターネット上のＦＴＰサーバが有する記憶装置など、あらゆる記録媒体を用いることができる。
【０１０２】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれる。
【０１０３】
本発明は上記実施形態に限定されるものではなく、本発明の趣旨に基づき種々の変形（各実施形態の有機的な組合せを含む）が可能であり、それらを本発明の範囲から排除するものではない。
【０１０４】
本発明の様々な例と実施形態を示して説明したが、当業者であれば、本発明の趣旨と範囲は、本明細書内の特定の説明に限定されるものではない。
【０１０５】
なお、本発明は、上記した実施形態に限定されるものではなく、本発明の要旨を逸脱しない範囲内において種々変更を加え得ることは勿論である。以下、その実施態様１〜４について説明する。
【０１０６】
（実施態様１）
情報処理装置（上記実施例記載のＷｅｂサーバ１０３、１０４）が提供する提供情報（上記実施例記載のＷｅｂページ）を取得する第一の取得ステップ（図５に示すステップ５０３）と、
前記提供情報に含まれる識別情報（上記実施例記載のＨＴＭＬデータに記述されるＵＲＬ）に基づいて、当該識別情報が示す引用情報（上記実施例記載のＨＴＭＬデータに記述されたＵＲＬやファイル名等の識別情報によって示される画像データ等の情報）を取得する第二の取得ステップ（上記実施例記載の、ＨＴＭＬデータに記述されたＵＲＬやファイル名等の識別情報によって示される画像データ等の所謂引用情報がある場合には当該引用情報を取得、或いは図５のステップ５１１）と、
前記引用情報を表示部に表示する表示ステップ（図５に示すステップ５０４）と、
前記引用情報の属性を判断する判断ステップ（図５に示すステップ５０９）と、
前記判断ステップにおいて判断された属性に従って、少なくとも前記表示ステップによって表示部に表示された前記引用情報を印刷する（図５に示すステップ５１１）か、前記表示ステップによって表示部に表示されない前記識別情報を印刷する（図５に示すステップ５１２）かを選択する選択ステップ（図５に示すステップ５０９）と、
をコンピュータに実行させるプログラム。
【０１０７】
（実施態様２）
引用情報の属性（上記実施例記載の動画データ、静止画データ、音声データ等）を示す属性情報（上記実施例記載の拡張子）を登録する登録ステップ（図１３のステップ１３０６）をさらに有し、
前記選択ステップは、前記登録ステップにおいて登録された属性情報が示す属性と前記判断ステップにおいて判断された属性とを比較（図５のステップ５０９）し、少なくとも前記表示ステップによって表示部に表示された前記引用情報を印刷するか、前記表示ステップによって表示部に表示されない前記識別情報を印刷するかを選択することを特徴とする請求項１記載のプログラム。
【０１０８】
（実施態様３）
表示されていない前記識別情報を印刷する旨（上記実施例記載のＵＲＬ印刷モード）の指定を入力する指定入力ステップ（図１１のステップ１１０６及び図１２の１１０２）をさらに有し、
前記指定入力ステップにより前記指定がある場合には前記判断ステップにおいて判断された属性に従って、前記表示部には表示されない前記識別情報を印刷し、
前記指定がない場合には前記属性にかかわらず前記引用情報に基づいて印刷する（図１１のステップ１１０６に基づく分岐）ことを特徴とする請求項１又は２記載のプログラム。
【０１０９】
（実施態様４）
情報処理装置（上記実施例記載のＷｅｂサーバ１０３、１０４）が提供する提供情報（上記実施例記載のＷｅｂページ）を取得する第一の取得ステップ（図９に示すステップ９０３）と、
前記提供情報に含まれる識別情報（上記実施例記載のＨＴＭＬデータに記述されるＵＲＬ）に基づいて、当該識別情報が示す引用情報（上記実施例記載のＨＴＭＬデータに記述されたＵＲＬやファイル名等の識別情報によって示される画像データ等の情報）を取得する第二の取得ステップ（上記実施例記載の、ＨＴＭＬデータに記述されたＵＲＬやファイル名等の識別情報によって示される画像データ等の所謂引用情報がある場合には当該引用情報を取得、或いは図９のステップ９１１）と、
前記引用情報の属性を判断する判断ステップ（図９に示すステップ９０９）と、
前記第二の取得ステップで取得された引用情報を記憶部に記憶する記憶ステップ（図９に示すステップ９１３）と、
前記判断ステップにおいて判断された属性に従って、少なくとも前記引用情報を印刷するか、前記記憶ステップで記憶された引用情報の記憶先を示す情報を印刷するかを選択する選択ステップ（図９に示すステップ９０９）と、
をコンピュータに実行させるためのプログラム。
【図面の簡単な説明】
【０１１０】
【図１】本実施例における画像形成システムを示すシステム構成図である。
【図２】本実施例における複合機の機能ブロック図である。
【図３】本実施例における複合機の機械的な構成図である。
【図４】本実施例における複合機の表示部および操作部を示す図である。
【図５】本実施例における複合機のＷｅｂページ印刷の動作フローである。
【図６】本実施例における複合機の表示パネルの表示例である。
【図７】本実施例におけるＷｅｂページのＨＴＭＬデータの例である。
【図８】本実施例におけるＷｅｂページの印刷結果の例である。
【図９】第二の実施例に基づく複合機のＷｅｂページ印刷の動作フローである。
【図１０】第二の実施例に基づくＷｅｂページの印刷結果の例である。
【図１１】第三の実施例に基づく複合機のＷｅｂページ印刷の動作フローである。
【図１２】第三の実施例に基づく複合機の表示パネルの表示例である。
【図１３】本実施例における複合機の属性情報選択処理および登録処理の処理フローである。
【図１４】本実施例における複合機において管理される管理テーブルの例である。
【符号の説明】
【０１１１】
１０１  複合機
１０２  クライアントＰＣ
１０３、１０４  Ｗｅｂサーバ
１０５  ＬＡＮ
１０６  インターネット
【図１】
2006172178.tif 000003
【図２】
2006172178.tif 000004
【図３】
2006172178.tif 000005
【図４】
2006172178.tif 000006
【図５】
2006172178.tif 000007
【図６】
2006172178.tif 000008
【図７】
2006172178.tif 000009
【図８】
2006172178.tif 000010
【図９】
2006172178.tif 000011
【図１０】
2006172178.tif 000012
【図１１】
2006172178.tif 000013
【図１２】
2006172178.tif 000014
【図１３】
2006172178.tif 000015
【図１４】
2006172178.tif 000016